(57)【要約】【課題】限られた内部空間に異なる周波数の電波（異なる識別情報）をそれぞれ送信することができる複数個のＩＣチップを固定的に組み込むこと。【解決手段】突壁状周壁の下端部側にキー突出用の切欠が形成された凹所を有するカバー本体と、キーヘッドがカバー本体の中央部からキー突出用の切欠まで着脱自在に嵌合する機械的キーがカバー本体から外れないようにカバー本体に合体するカバー蓋体とから成るキーヘッドカバーに於いて、カバー蓋体に突壁状周壁を有する凹所を形成し、該凹所の上部側であってかつキーヘッドの上辺よりも上方の所定空間の内壁面に、トランスポンダと、該トランスポンダとは異なる周波数の電波をＩＣタグリーダに送信するＩＣタグとを重なり合うように配設したキーヘッドカバー。【選択図】図１０
2010185250.tif 000002
【特許請求の範囲】
【請求項１】
突壁状周壁の下端部側にキー突出用の切欠が形成された凹所を有するカバー本体と、キーヘッドがカバー本体の中央部から前記キー突出用の切欠まで着脱自在に嵌合する機械的キーがカバー本体から外れないように前記カバー本体に合体するカバー蓋体とから成るキーヘッドカバーに於いて、前記キーヘッドの上辺と前記突壁状周壁の上端部側の内面との間の所定空間に、トランスポンダと、該トランスポンダとは異なる周波数の電波をＩＣタグリーダに送信するＩＣタグとを重なり合うように配設したことを特徴とするキーヘッドカバー。
【請求項２】
カバー本体の所定空間を形成する内壁底面の一部に窪みを形成し、この窪み内に扁平状のＩＣタグ又はトランスポンダのいずれかを嵌め込み、一方、前記窪み内に嵌合しないトランスポンダ又はＩＣタグのいずれかは、前記所定空間内に設けた支持片に支持されていることを特徴とするキーヘッドカバー。
【請求項３】
請求項１に於いて、カバー蓋体の内壁面には、トランスポンダ及びＩＣタグは押え付けるための突起が形成されていることを特徴とするキーヘッドカバー。
【請求項４】
突壁状周壁の下端部側にキー突出用の切欠が形成された凹所を有するカバー本体と、キーヘッドがカバー本体の中央部から前記キー突出用の切欠まで着脱自在に嵌合する機械的キーがカバー本体から外れないように前記カバー本体に合体するカバー蓋体とから成るキーヘッドカバーに於いて、前記カバー蓋体に突壁状周壁を有する凹所を形成し、該凹所の上部側であってかつ前記キーヘッドの上辺よりも上方の所定空間の内壁面に、トランスポンダと、該トランスポンダとは異なる周波数の電波をＩＣタグリーダに送信するＩＣタグとを重なり合うように配設したことを特徴とするキーヘッドカバー。
【発明の詳細な説明】
【技術分野】
【０００１】
本発明は、キーヘッドカバーに関し、特に普通一般の錠前の鍵穴にブレード部分を差し込んで施・解錠する機械的キーのキーヘッドの一部或いは全部をカバー状態で保持する場合に適合し、しかも、ＩＤコードの電波を送信する電気部品を内蔵するキーヘッドカバーに関する。
【背景技術】
【０００２】
特許文献１の図２及び図３には、突壁状周壁の下端部側にキー突出用の切欠を有する凹所と該凹所の中央部（中央部付近も含む）にキーヘッドの透孔と係合する支持突起とが形成されている扁平状のカバー本体と、前記キーヘッドが前記支持突起と前記透孔を介してカバー本体の前記中央部から前記キー突出用の切欠まで着脱自在に嵌合するキーがカバー本体から外れないように前記カバー本体に合体する扁平状のカバー蓋体とから成るキーヘッドカバーが開示されている。なお、キーヘッドカバーは、その上端端部側の外周部に通孔を有する枠状係止部分が形成されている。
【０００３】
また、特許文献２の図３及び図４には、特許文献１と同様の構成から成るキーヘッドカバーが開示され、該キーヘッドカバーを構成するカバー蓋体に突壁状周壁を有する凹所を形成し、該凹所の上部側であってかつ前記キーヘッドの上辺よりも上方の空間部分の内壁面に、トランスポンダを固定的に配設したことが記載されている。
【０００４】
さらに、特許文献３には、キーの把持部（キーヘッド）に通孔を形成し、該通孔内に嵌合する板状嵌合部にトランスポンダを内蔵すると共に、前記把持部を扁平状に包む（モールド成形された）樹脂製被覆部材を備えた鍵が開示されている。
【０００５】
このように、キーの把持部（キーヘッド）に樹脂製被覆部材を介して、又はキーヘッドカバーを構成するカバー蓋体を介して「トランスポンダ」を設ける事項は公知である。
【先行技術文献】
【特許文献】
【０００６】
【特許文献１】特開２００８−８２１４１号公報
【特許文献２】特開２００７−１７００２４号公報
【特許文献３】特開２００１−２６２８７８号公報
【発明の概要】
【発明が解決しようとする課題】
【０００７】
本願発明の所期の目的は、複数の情報識別電子機器に対応する多用途のキーヘッドカバーを提供すると共に、特許文献１又は特許文献２に記載のキーヘッドカバーを前提にして、キーヘッドカバーのキーヘッドの上辺よりも限られた内部空間に異なる周波数の電波（異なる識別情報）をそれぞれ送信することができる複数個のＩＣチップを固定的に組み込むことである。第２の目的は、商品が販売或いは使用された場合は、例えば建具や自動者の錠前用のキー・電気キーとなると共に、タグ情報書込み管理装置用の対象キーとなることである。付言すると、使用時、機械的キーと使用することができると同時に、複数の情報識別手段に対して、それぞれ識別情報を送信することができることである。
【課題を解決するための手段】
【０００８】
本発明のキーヘッドカバーは、突壁状周壁の下端部側にキー突出用の切欠が形成された凹所を有するカバー本体と、キーヘッドがカバー本体の中央部から前記キー突出用の切欠まで着脱自在に嵌合する機械的キーがカバー本体から外れないように前記カバー本体に合体するカバー蓋体とから成るキーヘッドカバーに於いて、前記キーヘッドの上辺と前記突壁状周壁の上端部側の内面との間の所定空間に、トランスポンダと、該トランスポンダとは異なる周波数の電波をＩＣタグリーダに送信するＩＣタグとを重なり合うように配設したことを特徴とする。
【０００９】
また、本発明のキーヘッドカバーは、突壁状周壁の下端部側にキー突出用の切欠が形成された凹所を有するカバー本体と、キーヘッドがカバー本体の中央部から前記キー突出用の切欠まで着脱自在に嵌合する機械的キーがカバー本体から外れないように前記カバー本体に合体するカバー蓋体とから成るキーヘッドカバーに於いて、前記カバー蓋体に突壁状周壁を有する凹所を形成し、該凹所の上部側であってかつ前記キーヘッドの上辺よりも上方の所定空間の内壁面に、トランスポンダと、該トランスポンダとは異なる周波数の電波をＩＣタグリーダに送信するＩＣタグとを重なり合うように配設したことを特徴とする。
【発明の効果】
【００１０】
（ａ）独立項に記載の発明は、複数の情報識別電子機器に対応する多用途のキーヘッドカバーを提供すると共に、キーヘッドカバーのキーヘッドの上辺よりも限られた内部空間に異なる周波数の周波数（異なる識別情報）をそれぞれ送信することができる複数個のＩＣチップを固定的に組み込むことができる。
（ｂ）また、商品が販売或いは使用された場合は、例えば建具や自動車の錠前用のキー・電気キーとなると共に、タグ情報書込み管理装置用の対象キーとなる。すなわち、情報書込み管理装置如何によっては、本発明のキーヘッドカバー（人）の移動中の場所を追跡あるいは確認をすることも可能である。
（ｃ）請求項２に記載の発明は、例えば特許文献１又は特許文献２に記載のキーヘッドカバーを前提にして、キーヘッドカバーのキーヘッドの上辺よりも限られた内部空間を有効的に活用することができる。
（ｄ）請求項３に記載の発明は、複数個のＩＣチップは、支持片により、直接又は間接的に支持されるので、例えばキー交換の際にカバー本体からカバー蓋体を取り外した場合に於いて、カバー蓋体又カバー本体から容易に外れない。
【図面の簡単な説明】
【００１１】
図１乃至図１３は本発明の最良の実施例を示す各説明図（第１実施例）。図１４は本発明の第２実施例の説明図。
【図１】図１（ａ）はキーヘッドカバーＸを構成するカバー本体２の内側の説明図、図１（ｂ）はカバー本体２の外側の説明図。
【図２】図１（ａ）の２−２線縦断面概略説明図。
【図３】図１（ａ）の３−３線縦断面概略説明図。
【図４】カバー本体２の凹所にキーヘッドａを装着した状態の説明図。
【図５】図５の（ａ）はキーヘッドカバーＸを構成するカバー蓋体３の内側の説明図、図５の（ｂ）はカバー蓋体３の外側の説明図。
【図６】図５（ａ）の６−６線縦断面概略説明図。
【図７】図５（ａ）のＡ−Ａ線縦断面概略説明図。
【図８】カバー蓋体３でキーヘッドａをカバーした状態の説明図。
【図９】本体２と蓋体３が合体（結合）した場合の説明図。
【図１０】合体時に於ける主要部の縦断面概略説明図。
【図１１】主要部の分解斜視図。
【図１２】トランスポンダの概略説明図。
【図１３】ＩＣタグ２７の概略説明図。
【図１４】第２実施例の概略説明図。
【発明を実施するための最良の形態】
【００１２】
以下、図１乃至図１３に示す本発明を実施するための最良の形態（第１実施例）により説明する。
【００１３】
（１）発明の実施の環境
図１の（ａ）はキーヘッドカバーＸを構成するカバー本体２の内側の説明図、図１の（ｂ）はカバー本体２の外側の説明図である。これに対応して、図５の（ａ）はキーヘッドカバーＸを構成するカバー蓋体３の内側の説明図、図５の（ｂ）はカバー蓋体３の外側の説明図である。また、図２及び図３は、カバー本体２の縦断面に基づく各概略説明図で、これに対して、図６及び図７は、カバー蓋体の縦断面に基づく各概略説明図である。さらに、図４はカバー本体の凹所にキーヘッドの一部を嵌合した説明図である。これに対応して、図８はカバー蓋体３でキーヘッドをカバーした状態の説明図である。そして、図９は機械的キーＫのキーヘッドにキーヘッドカバーＸが装着されている状態の側面図である。
【００１４】
さて、Ｘは合成樹脂製のキーヘッドカバー（図９参照）で、該キーヘッドカバーＸには機械的キーＫが脱着可能に設けられている。図９の状態で商品が販売或いは使用された場合は、建具や自動者の錠前用のキー・電気キーとなると共に、タグ情報書込み管理装置用の対象キーとなる。
【００１５】
本発明のキーヘッドカバーＸは、複数個のＩＣチップ（識別情報の処理部）を内蔵している点に特徴がある。付言すると、特許文献１又は特許文献２に記載のキーヘッドカバーを前提にして、キーヘッドカバーＸのキーヘッドの上辺よりも限られた内部空間（所定空間）に位置するように異なる周波数（異なる識別情報）をそれぞれ送信することができる複数個のＩＣチップ３３、４３を固定的に組み込んだ点に特徴がある。
【００１６】
（２）キーヘッドカバーＸの基本的構成
発明の詳細等に於いて、図１の（ａ）を本体２の正面図とする。キーヘッドカバーＸは、機械的キーＫのキーヘッド（摘み部分）ａの表裏の全部又は一部をカバーするので、例えば第１実施例のように、キーヘッドカバーＸが略同一の大きさやデザイン態様で二分割に形成されている場合には、いずれが本体か蓋体か区別できない。
【００１７】
しかし、ここでは、説明の便宜上、一方の保持片２を「カバー本体」とし、これに一体的に結合する他方の保持片３を「カバー蓋体」とする。付言すれば、図３と図６の凹所を対比した場合に於いて、凹所が深い場合が「カバー本体」である。或いは図４で示すように、一方の保持片２の内部（例えば凹所）２ａにキーヘッドａが嵌合する方が「カバー本体（以下、「本体」という）」である。
【００１８】
これに対して、凹所が浅い場合、或いはキーヘッドａの一部または全部をカバーするように相手側の保持片に合体するのが「カバー蓋体（以下、「蓋体」という）」である。
【００１９】
そこで、キーヘッドカバーＸの構成を説明する。２は硬質の合成樹脂材で扁平ケース状に形成された本体、３は該本体２に取り外し可能に結合する蓋体である。本体２の下端部（内端部）は水平方向にやや曲面状切欠されていることから、外観上楕円形状（例えば卵形状）の蓋体３の方が大きいことになるが、該蓋体３も本体２と同様の合成樹脂材で扁平ケース状に形成され、両方２、３を結合すると、普通一般に自動車、建具等に使用されているキーのキーヘッドカバーの外観形状となる。
【００２０】
図９は、本体２と蓋体３が係合手段又は／及び単数又は複数個の固定手段４で合体（結合）した場合の説明図である。この図から明らかなように、本発明の合成樹脂製のキーヘッドカバーＸは、指で摘むことができる正面側の側壁５及び背面側の側壁６、これらの側壁５、６の少なくとも一側壁（本実施例では本体２の側壁５）の内端部にキーヘッドａの一部用の開口（切欠）７を有すると共に、外端部側に携帯リング用の挿通孔８を含む突壁状の外周壁９、１０をそれぞれ有する。
【００２１】
（３）本体２と蓋体３
図１の（ａ）を参照にすると、本体２の凹所２ａを形成する外周壁９の内壁面の中央部には、蓋体３に形成した小さな係合爪１２と係合する左右一対の係合突起１１が対設している。これらの係合突起１１は材質自体の弾性力に抗して若干弾性変位可能であり、本体２に蓋体３を合体した時には対応する前記係合爪１２と係合する。また、これらの係合突起１１の間には、キーヘッドａの中央部の係合小孔（透孔）ｃと係合する係止軸受け１３が突出形成されている。一方、１４は前記係止軸受け１３に係合する小さな支軸で、この支軸１４は蓋体３の側壁６の内壁面中央部に突出形成されている。なお、係止軸受け１３及び支軸１４は固定具の一例としての固着具４用の貫通孔やメネジとなっている。
【００２２】
また、本体２の凹所２ａの底壁内面の中央部には、キーヘッドａの上辺の左右部位にそれぞれ当接する短片状の支持突起１５が水平方向に設けられている。さらに、凹所２ａの底壁内面の上端部側には、後述する蓋体側に設けたトランスポンダ２５及びＩＣタグ２７を押え付けるための細長状の小突起１６がやや斜め方向に形成されている。
【００２３】
さらに、本体２と蓋体３の突壁状の外周壁９、１０の上端部の内面には、小係合凸片１７と小被係合爪片１８がそれぞれ形成され、本体２に蓋体３を合体した時には、これらの小係合凸片１７と小被係合爪片１８は互いに係合する。その他の細部的事項の説明は割愛する。
【００２４】
（４）電気部品…トランスポンダ２５とＩＣタグ２７
２５はＩＤコードの電波（例えばキーの識別情報）を送信する第１の電気部品で、該電気部品２５は、本実施例では蓋体３の凹所３ａに単数又は複数の支持片２６を介して固定的には設けられている。また、２７は前記トランスポンダ２５とは異なる電波をＩＣタグリーダ（情報書込み管理装置）に送信するＩＣタグで、該ＩＣタグ２７は、本実施例では、前記凹所３ａの上部側であって、かつキーヘッド２ａの上辺よりも上方の所定空間２８の内壁面に、トランスポンダと共に、互いに重なり合うように配設されている。
【００２５】
ＩＣタグ２７は、望ましくは扁平状（例えば円形のボタン状）に形成され、図１０、図１１等で示すように、蓋体３の所定空間２８を形成する内壁底面の一部に窪み２９を形成し、この窪み２９内に扁平状のＩＣタグ（本実施例）２７又はトランスポンダ２５のいずれかを嵌め込み、一方、前記窪み２９内に嵌合しないトランスポンダ（本実施例）２５又はＩＣタグのいずれかは、前記所定空間２８内に固定的に突設した左右一対の支持片２６、２６に挟持状態に支持される。また、望ましくは、蓋体３の窪み２９内に嵌め込まれたＩＣタグ（本実施例）２７の外面に接着層３０を介して横長状に形成されたトランスポンダ（本実施例）２５の対向面を接着する（図７、図１０参照）。そして、望ましくは、両方２、３を結合すると、トランスポンダ２５及びＩＣタグ２７は、カバー本体２の内壁面に形成した押え付け用突起１６に支持される。
【００２６】
（５）トランスポンダ
図１２はトランスポンダの概略説明図である。トランスポンダ２５は、蓋体３側の所定空間２８に左右一対の支持片２６、２６を介してＩＣタグ２７に重なるように配設される。トランスポンダ２５はアンテナコイル３２と、このアンテナコイルに電気的に接続され第１の固有情報（例えばキーの識別情報）を記憶するＩＣチップ３３とを有する。前記アンテナコイル３２は被覆導線を多数回巻回することにより厚さの薄いドーナツ状に形成され、一方、前記ＩＣチップ３３はアンテナコイルの中心部に収容される。
【００２７】
しかして、情報処理部としてのＩＣチップ３３は、ＣＰＵ（制御部）３３ａ、該ＣＰＵ用メモリ３３ｂ、電源回路３３ｃ、アンテナ（アンテナコイル）３２、その他の必要な回路（無線周波数、変調、復調等に関する回路）３３ｄ、コンデンサ（図示せず）等を備えている。
【００２８】
電源回路３３ｃはコンデンサを内蔵し、このコンデンサはアンテナコイル３２とともに共振回路を形成する。このコンデンサにはアンテナコイル３２が特定の周波数の電波（共振回路が共振する周波数）Ｒ１を受信したとき、その相互誘導作用で生じる電力が充電される。電源回路３３ｃはこの電力を整流し安定化してＣＰＵ３３ａに供給してＩＣチップ３３を活性化する。メモリ３３ｂは、ＣＰＵ３３ａの制御の下で、例えば建具としての扉のシリンダー錠又は車両３４のステアリングコラムに設けられた識別手段３５からの電波Ｒ１（例えば周波数１３４．２ｋＨｚ）のデータ通信による読出しコマンドに応じて記憶されたデータの読出しを行うとともに、識別手段３５からの書込みコマンドに応じてデータの書込みが行われる。
【００２９】
（６）ＩＣタグ２７
図１３はＩＣタグ２７の概略説明図である。ＩＣタグ２７は、前述したように、蓋体３側の所定空間２８の窪み２９に嵌め込まれる。しかも、本実施例では、支持片２６で支持されたトランスポンダ２５によって支持される。このＩＣタグ２７の構成も、トランスポンダ２５と同様である。すなちわ、アンテナコイル４２、ＣＰＵ４３ａ、メモリ４３ｂ、電源回路４３ｃ、必要な回路４３ｄを有するＩＣチップ４３は、第２の固有情報（例えばキーの移動に関する情報）を記憶する。
【００３０】
しかして、ＩＣタグ２７が前記トランスポンダ２５と異なる点は、トランスポンダとは異なる電波Ｒ２（例えば周波数１３．５６ＭＨｚ）を、建物４４の室内又は室外に配設されたＩＣタグリーダ（情報書込み管理装置）４５に送信する点である。
したがって、ＩＣタグ２７のメモリ４３ｂに格納されているデータ構造は、当然、トランスポンダ２５のメモリ３３ｂに格納されているそれとは相違する。また、その他の必要な回路（無線周波数、変調、復調等に関する回路）４３ｄも、当然、ＩＣタグ２７用のアクセス回路となっており、該アクセス回路４３ｄは、電波Ｒ２には共振するものの、トランスポンダ２５側の電波Ｒ１には共振しない。
【００３１】
ところで、ＩＣタグ２７のメモリ４３ｂ内のデータ構造は、例えば領域ａ〜ｄに区分けされており、領域ａには認証を行うためのセキュリティキー情報、領域ｂにはデータの使用に関する使用不可情報、領域ｃにはキーの移動に関する情報（人出入り情報）、領域ｄはキーの所有者に関する個人情報がそれぞれ格納されている。なお、トランスポンダ２５とＩＣタグ２７の各動作に関するフローチャートは、本願発明の特定要件ではないので、割愛する。
【実施例】
【００３２】
発明の実施の形態で示した第１実施例に於いて、支持片２６は、例えば材質自体の弾性力に抗して外方向へ弾性変位するコ字形状に形成され、長板状トランスポンダ２５の両端部を支持するものの、支持片２６の形状は任意に変更することができる事項である。
【００３３】
次に、図１４は本発明の第２実施例の説明図である。図１４の（ａ）は、図１の（ａ）と同様に本体の内側の説明図である。一方、図１４の（ｂ）は、図５の（ａ）と同様に蓋体の内側の説明図である。両図の対比から明らかなように、第２実施例では、本体２Ａの内側の凹所２ａの所定空間にＩＣタグ２７とトランスポンダ２５とを、互いに重ね合わせるように配設し、一方、蓋体３Ａの凹所３ａの所定空間２８にトランスポンダ２５及びＩＣタグ２７は押え付けるための突起１８が形成されている。
【００３４】
すなわち、この第２実施例では、第１実施例とは逆に、突壁状周壁９の下端部側にキー突出用の切欠７が形成された凹所２ａを有するカバー本体２Ａと、キーヘッドａがカバー本体の中央部から前記キー突出用の切欠７まで着脱自在に嵌合する機械的キーＫがカバー本体２Ａから外れないように前記カバー本体２Ａに合体するカバー蓋体３Ａとから成るキーヘッドカバーに於いて、前記キーヘッドａの上辺と前記突壁状周壁９の上端部側の内面との間の所定空間２８Ａに、トランスポンダ２５と、該トランスポンダとは異なる電波をＩＣタグリーダに送信するＩＣタグ２７とを重なり合うように配設した点に特徴がある。
【００３５】
なお、この第２実施例に於いても、カバー本体２の所定空間２８Ａを形成する内壁底面の一部に窪み２９を形成し、この窪み内に扁平状のＩＣタグ２７又はトランスポンダ２５のいずれかを嵌め込み、一方、前記窪み内に嵌合しないトランスポンダ又はＩＣタグのいずれかは、前記所定空間内２８Ａに設けた支持片２６に支持されている。
その他、特に図示しないが、カバー蓋体の内壁面には、キーヘッドを押え付けるための突条が適宜に形成されている。
【産業上の利用可能性】
【００３６】
本発明は、主に錠前や建具の分野で利用される。
【符号の説明】
【００３７】
Ｘ…キーヘッドカバー、ａ…キーヘッド（摘み部分）、Ｋ…機械的キー、２、２Ａ…カバー本体、２ａ…凹所、３、３Ａ…カバー蓋体、３ａ…凹所、４…固定手段、５、６…側壁、７…キー突出用の切欠、９、１０…外周壁、１６…小突起、２５…トランスポンダ、２６…支持片、２７…ＩＣタグ、２８，２８Ａ…所定空間、２９…窪み、３３、４３…複数個のＩＣチップ、Ｒ１、Ｒ２…異なる周波数の電波（異なる識別情報）。
【図１】
2010185250.tif 000003
【図２】
2010185250.tif 000004
【図３】
2010185250.tif 000005
【図４】
2010185250.tif 000006
【図５】
2010185250.tif 000007
【図６】
2010185250.tif 000008
【図７】
2010185250.tif 000009
【図８】
2010185250.tif 000010
【図９】
2010185250.tif 000011
【図１０】
2010185250.tif 000012
【図１１】
2010185250.tif 000013
【図１２】
2010185250.tif 000014
【図１３】
2010185250.tif 000015
【図１４】
2010185250.tif 000016